(57)【特許請求の範囲】
【請求項１】
コンテンツの２次的利用を図るためのコンピュータにより実行される方法であって、
コンテンツ再生画面を前記コンピュータの表示部に表示するステップと、
前記コンテンツ再生画面を介してユーザ入力を受信するステップであって、前記ユーザ入力は、前記コンピュータ上で再生するコンテンツを示すコンテンツインジケーションを含む、ステップと、
前記コンテンツインジケーションに基づいて、前記コンテンツに関連付けられた制御データファイルを特定するステップであって、前記制御データファイルは、コンテンツ編集方法、ならびに、前記コンテンツ編集方法を実行する時間および／または領域を示すコンテンツ編集インジケーション含む、ステップと、
前記特定した制御データファイルを読み取るステップと、
前記コンテンツを再生して、前記読み取った制御データファイルにしたがって、前記再生したコンテンツを編集するステップであって、前記編集したコンテンツは、前記コンピュータの不揮発性記憶装置に記憶されない、ステップと、
前記読み取った制御データファイルに基づいて、前記コンテンツ編集方法を実行する時間および／または領域において重複が発生するかを判定するステップと
を備え、
前記再生したコンテンツを編集することは、前記判定に基づいて並列して実行される
ことを特徴とする方法。
【請求項２】
コンテンツの２次的利用を図るためのコンピュータにより実行される方法であって、
入力インタフェース画面を前記コンピュータの表示部に表示するステップと、
前記コンテンツを再生するステップと、
前記入力インタフェース画面を介してユーザ入力を受信するステップであって、前記ユーザ入力は、コンテンツ編集方法、ならびに、前記コンテンツ編集方法を実行する時間および／または領域を示すコンテンツ編集インジケーション含む、ステップと、
前記ユーザ入力に基づいて、制御データファイルを生成するステップと、
前記生成した制御データファイルを読み取るステップと、
前記コンテンツを再生して、前記読み取った制御データファイルにしたがって、前記再生したコンテンツを編集するステップであって、前記編集したコンテンツは、前記コンピュータの不揮発性記憶装置に記憶されない、ステップと、
前記読み取った制御データファイルに基づいて、前記コンテンツ編集方法を実行する時間および／または領域において重複が発生するかを判定するステップと
を備え、
前記再生したコンテンツを編集することは、前記判定に基づいて並列して実行される
ことを特徴とする方法。
【請求項３】
前記編集したコンテンツを前記不揮発性記憶装置に記憶しないことは、前記編集したコンテンツを前記不揮発性記憶装置に記憶することを抑止するように制御することを含むことを特徴とする請求項１または２に記載の方法。
【請求項４】
前記再生したコンテンツに含まれる音声を認識するステップと、
前記認識した音声を、前記認識した音声に対応するデータに変換するステップと、
前記コンテンツを再生するステップとともに、前記音声に対応するデータを前記入力インタフェース画面に表示するステップと
をさらに備えたことを特徴とする請求項２に記載の方法。
【請求項５】
前記再生したコンテンツに含まれる文字情報を認識するステップと、
前記認識した文字情報を、前記認識した文字情報に対応するデータに変換するステップと、
前記コンテンツを再生するステップとともに、前記文字情報に対応するデータを出力するステップと
をさらに備えたことを特徴とする請求項２または４に記載の方法。
【請求項６】
前記再生したコンテンツに含まれるメタデータを読み取るステップと、
前記読み取ったメタデータに基づいて、前記コンピュータに接続された他のコンピュータからコンテンツ関連データを取得するステップと、
前記取得したコンテンツ関連データを出力するステップと
をさらに備えたことを特徴とする請求項２、４または５に記載の方法。
【請求項７】
前記認識した音声、または、前記音声に対応する前記データに基づいて、前記コンピュータに接続された他のコンピュータからコンテンツ関連データを取得するステップと、
前記取得したコンテンツ関連データを出力するステップと
をさらに備えたことを特徴とする請求項４に記載の方法。
【請求項８】
前記認識した文字情報、または、前記文字情報に対応する前記データに基づいて、前記コンピュータに接続された他のコンピュータからコンテンツ関連データを取得するステップと、
前記取得したコンテンツ関連データを出力するステップと
をさらに備えたことを特徴とする請求項５に記載の方法。
【請求項９】
コンテンツの２次的利用を図るためのコンピュータであって、
入力インタフェース画面を前記コンピュータの表示部に表示する手段と、
前記コンテンツを再生する手段と、
前記入力インタフェース画面を介してユーザ入力を受信する手段であって、前記ユーザ入力は、コンテンツ編集方法、ならびに、前記コンテンツ編集方法を実行する時間および／または領域を示すコンテンツ編集インジケーション含む、手段と、
前記ユーザ入力に基づいて、制御データファイルを生成する手段と、
前記生成した制御データファイルを読み取る手段と、
前記コンテンツを再生して、前記読み取った制御データファイルにしたがって、前記再生したコンテンツを編集する手段であって、前記編集したコンテンツは、前記コンピュータの不揮発性記憶装置に記憶することを抑止するように制御することによって、前記不揮発性記憶装置に記憶されない、手段と、
前記読み取った制御データファイルに基づいて、前記コンテンツ編集方法を実行する時間および／または領域において重複が発生するかを判定する手段と
を備え、
前記再生したコンテンツを編集する手段は、前記判定する手段による前記判定に基づいて、前記再生したコンテンツを並列して編集する
を備えたことを特徴とするコンピュータ。
【請求項１０】
請求項１乃至８のいずれか一項に記載の方法をコンピュータに実行させるためのプログラム。
【請求項１１】
請求項１０に記載のプログラムを記録したコンピュータ可読記憶媒体。
【発明の詳細な説明】
【技術分野】
【０００１】
本発明は、コンテンツ編集・再生方法に関する。特に、本発明は、動画および／または音楽などの著作物を私的利用の範囲で２次的利用することが可能なコンテンツ編集・再生方法に関する。
【背景技術】
【０００２】
近年、インターネット上では動画共有サイトが頻繁に利用されている。このような動画共有サイトでは、ユーザが動画をアップロードして他のユーザと動画を共有することができる。加えて、既存の動画を編集して（例えば、コメントの付加、動画のダイジェストなど）、当該編集した動画をアップロードすることもできる。
【０００３】
このように、既存の動画コンテンツ（例えば、テレビ番組などの放送コンテンツおよびＤＶＤなどの情報記録媒体に記録された情報記録媒体格納コンテンツなど）を編集することは、元のコンテンツ製作者のコンテンツを利用しつつ、新たな創作性を生み出すことを意味している。例えば、モノクロ映像のコンテンツに色彩を施して再生することは、当該再生したコンテンツに創作性が認められ、２次的著作物となり得る。
【０００４】
ところで、ユーザが正当に購入した情報記録媒体格納コンテンツ（ＣＤおよびＤＶＤなどのパッケージ型コンテンツ）はもちろんのこと、テレビ番組などの放送コンテンツを情報記録媒体に記録して、私的利用の範囲で利用する行為は、当該コンテンツに施された技術的保護手段を回避する行為を行わない限り、著作権法に違反するものではない。
【０００５】
一方で、上述した動画共有サイトにおいて、ユーザが正当に購入した情報記録媒体格納コンテンツなどであっても、そのコンテンツを編集してアップロードする行為は、元のコンテンツ著作権者の許諾を得ない限り、著作権法第２３条第１項に規定する公衆送信権に違反することになる。
【０００６】
特許文献１では、放送コンテンツの著作権を保護しつつ、放送コンテンツの２次的利用を図ることができる情報提供システムが開示されている。
【先行技術文献】
【特許文献】
【０００７】
【特許文献１】特開２００３−０１８５１８号公報
【発明の概要】
【発明が解決しようとする課題】
【０００８】
現状では、例えば、モノクロ映像の古い映画をカラーで見たくても、元の映画に色彩を施した２次的著作物であるパッケージ型映像コンテンツは一部しか存在しない。このような背景から、ユーザにとっては、モノクロ映像の映画のカラー版を閲覧をすることができず、または、カラー版が存在しても、その施された色彩がユーザによって望まれるものではない可能性もある。
【０００９】
また、映画などのコンテンツは、映像および音声でシナリオを楽しむものであり、流れる情報のみによってコンテンツに関する情報をその場で確認する手段が存在しない。このことは、例えば、映画のシーンで登場する歴史的建物の名称、歴史的背景などの情報を元のコンテンツに付加することによって、対処することができるが、元のコンテンツの著作権者の許諾なしにはそのようなことは行えない。
【００１０】
さらに、編集された情報記録媒体格納コンテンツを入手することを望んでも、著作権法上、編集されたコンテンツをインターネット上で公開すること、および／または、ＤＶＤなどの情報記録媒体に記録することが禁止されているため、入手することができない。特に、平成２４年に改正された著作権法では、私的利用であっても技術的保護手段を回避してコンテンツを複製することは、違法となる旨が規定されるようになり、以前と比較して、規定が厳しくなっている。
【００１１】
特許文献１で開示されている情報提供システムでは、コンテンツ毎に登録された利用可否情報を登録し、当該利用可否情報を読み込んで利用可である場合は、コンテンツの編集を行うなどの２次的利用を図ることができる。しかしながら、この情報提供システムでは、上記利用可否情報を読み込んだ結果、利用可となっていないと判定された場合は、当該コンテンツの２次的利用が行われない。つまり、特許文献１に係る情報提供システムでは、コンテンツによっては、私的利用の範囲であってもそのコンテンツの２次的利用をはかることができないことになる。
【００１２】
本発明に係るコンテンツ編集・再生方法は、私的利用の範囲で、ユーザが利用権限を有するコンテンツを自由に編集および再生することが可能な、従来には存在しなかったコンテンツの２次的利用を図るスキームを提供することを目的とする。
【課題を解決するための手段】
【００１３】
上記の課題を解決するために、本発明に係るコンテンツ編集・再生方法は、コンテンツの２次的利用を図るためのコンピュータにより実行される方法であって、入力インタフェース画面を前記コンピュータの表示部に表示するステップと、前記コンテンツを再生するステップと、前記入力インタフェース画面を介してユーザ入力を受信するステップであって、前記ユーザ入力は、コンテンツ編集方法、ならびに、前記コンテンツ編集方法を実行する時間および／または領域のインジケーション含む、ステップと、前記ユーザ入力に基づいて、制御データファイルを生成するステップと、前記生成した制御データファイルを読み取るステップと、前記コンテンツを再生して、前記読み取った制御データファイルにしたがって、前記再生したコンテンツを編集するステップであって、前記編集したコンテンツは、前記コンピュータの不揮発性記憶装置に記憶されない、ステップとを備えたことを特徴とする。
【発明の効果】
【００１４】
本発明に係るコンテンツ編集・再生方法によれば、ユーザが利用権限を有するコンテンツに基づいて、私的利用の範囲で当該コンテンツを編集・再生することが可能となり、かつ、ユーザが自由にコンテンツの編集を行うことによって、新たな創作性を有するコンテンツの提供をすることが可能になる。
【図面の簡単な説明】
【００１５】
【図１】本発明の一実施形態に係るコンテンツ編集・再生方法を実現するコンテンツ編集・再生装置１００の構成の例を示す図である。
【図２】本発明の一実施形態に係るコンテンツ編集・再生方法を実現する編集方法入力インタフェース画面２００の例を示す図である。
【図３】本発明の一実施形態に係るコンテンツ編集・再生方法を実現する制御データファイルの出力方法を示すフローチャートである。
【図４】本発明の一実施形態に係るコンテンツ編集・再生方法を実現する制御データファイル４００の例を示す図である。
【図５】本発明の一実施形態に係るコンテンツ編集・再生方法を示すフローチャートである。
【図６】本発明の一実施形態に係るコンテンツ編集・再生方法を実現する編集再生コンテンツ表示画面６００の例を示す図である。
【発明を実施するための形態】
【００１６】
＜用語の定義＞
本明細書において使用される用語を定義する。「コンテンツ」とは、テレビ番組、映画などを含む映像、音楽、および静止画像などを含む著作物を意味する。「正当コンテンツ」とは、ＣＤ、ＤＶＤなどの情報記録媒体に記録され、ユーザが正当に購入したパッケージ型コンテンツ、テレビ番組およびラジオ番組などの、ユーザが自由に視聴もしくは閲覧などをすることができる放送コンテンツ、ならびに、インターネット上で配信される動画配信および音楽配信などの、ユーザが自由に視聴もしくは閲覧することができる（ユーザが正当に購入して配信を受ける）オンデマンドコンテンツを含む、ユーザが正当に利用することができるコンテンツを意味する。
【００１７】
図１は、本発明の一実施形態に係るコンテンツ編集・再生方法を実現するコンテンツ編集・再生装置１００の構成の例を示す図である。
【００１８】
コンテンツ編集・再生装置１００は、中央処理装置（ＣＰＵ）、メモリ、記憶装置などを備えるコンピューティングデバイスであって、メモリまたは記憶装置に格納されたコンピュータプログラムをＣＰＵが処理することによって統括的に制御され、本発明に係る処理を実行し、その機能を実現することができる、１つまたは複数のコンピューティングデバイスによって構成されてもよい。例えば、コンテンツ編集・再生装置１００は、パーソナルコンピュータ、または、パーソナルコンピュータに接続されたサーバもしくはワークステーションなどであってもよい。また、コンテンツ編集・再生装置１００は、ＤＶＤなどの情報記録媒体を読み取るための情報記録媒体ドライブを備える。なお、上述したシステム構成は、例示のためのものであり、本発明を実行することができるシステム構成を限定するものではない。
【００１９】
コンテンツ編集・再生装置１００は、入出力インタフェース１０１、制御部１０２、主記憶部１０３、補助記憶部１０４、ネットワークインタフェース１０５、ディスプレイ１０６、スピーカ１０７、情報記録媒体ドライブ１０８、音声認識装置１０９、および文字認識装置１１０を備え、それらの各要素がシステムバスを介して接続されている。
【００２０】
入出力インタフェース１０１は、コンテンツ編集・再生装置１００に結合されたキーボードおよび／またはマウスなど（図示せず）の入力手段からのデータの入力を受信し、ならびに、ディスプレイ１０６に画像もしくは文字データなどを出力し、スピーカ１０７を介して音声データを出力するインタフェースである。
【００２１】
制御部１０２は、中央処理装置（ＣＰＵ）とも呼ばれ、上記各構成要素の制御やデータの演算を行い、また、補助記憶部１０４に格納されている各種プログラムを主記憶部１０３に読み取って実行する。主記憶部１０３は、メインメモリとも呼ばれ、コンテンツ編集・再生装置１００が受信した入力データ、コンピュータ実行可能な命令および当該命令による演算処理後のデータなどを記憶する。
【００２２】
補助記憶部１０４は、ハードディスク（ＨＤＤ）などに代表される記憶装置であり、制御データファイル編集プログラム１０４ａ、コンテンツ再生プログラム１０４ｂおよびコンテンツ編集プログラム１０４ｃなどの、本発明に係るコンテンツ編集・再生方法の各種処理を実行させるためのコンピュータプログラムを格納している。
【００２３】
ネットワークインタフェース１０５は、インターネットなどの公衆回線および／または専用回線等の外部ネットワークに接続され、外部ネットワーク接続機器との間でデータの送受信を行う。
【００２４】
ディスプレイ１０６は、制御データファイル編集プログラム１０４ａを実行することによって表示される入力インタフェース画面、および、コンテンツ再生プログラム１０４ｂを実行することによって再生されたコンテンツに含まれる画像などを表示する。入力インタフェース画面は、後述する制御データファイルを作成するためのインタフェース画面である。
【００２５】
スピーカ１０７は、コンテンツ再生プログラム１０４ｂを実行することによって再生されたコンテンツに含まれる音声を出力する音声出力装置である。
【００２６】
情報記録媒体ドライブ１０８は、ＣＤおよび／またはＤＶＤなどの、コンテンツを格納した情報記録媒体のデータを読み取ることが可能なドライブ装置である。
【００２７】
音声認識装置１０９は、コンテンツ再生プログラム１０４ｂを実行することによって再生されたコンテンツに含まれる音声を認識する。認識された音声は、当該音声に対応する文字情報などのデータに変換されるが、詳細は後述する。
【００２８】
文字認識装置１１０は、コンテンツ再生プログラム１０４ｂを実行することによって再生されたコンテンツに含まれる文字情報を認識する。認識された文字情報は、当該文字情報に対応する音声などのデータに変換されるが、詳細は後述する。
【００２９】
＜制御データファイル作成＞
次に、図２を参照して、本発明の一実施形態に係るコンテンツ編集・再生方法を実現する編集方法入力インタフェース画面２００を説明する。
【００３０】
図２は、後述する制御データファイルを出力するための、コンテンツ編集・再生装置１００のディスプレイ１０６上に表示された編集方法入力インタフェース画面２００の例を示している。編集方法入力インタフェース画面２００は、コンテンツ再生表示領域２１０、コンテンツ再生ボタン２２０、コンテンツ編集方法ボタン２３０、およびコンテンツ情報表示領域２４０を備えている。
【００３１】
コンテンツ再生表示領域２１０は、コンテンツを再生して、その再生したコンテンツに含まれる動画像または静止画像が表示される領域である。また、再生したコンテンツに含まれる音声は、コンテンツ編集・再生装置１００のスピーカ１０７を介して出力される。
【００３２】
コンテンツ再生ボタン２２０は、上述したコンテンツの再生を行うためのボタンである。
【００３３】
コンテンツ編集方法ボタン２３０は、ユーザが希望するコンテンツの編集方法を選択するためのボタンであり、これらのボタンを選択することによって、コンテンツに含まれる画像の一部を切り取り、カラー化し、または、サイズ変更するなどの編集を行うことができる。具体的には、ユーザは、コンテンツ編集方法ボタン２３０のいずれかを選択して、コンテンツ編集方法を指定する。指定されたコンテンツ編集方法に応じて、ユーザは、正当コンテンツの特定の時間帯（例えば、コンテンツの開始Ｘ秒からＹ秒間）、および／または、特定の領域（例えば、コンテンツが表示された画像のＸ座標およびＹ座標）を指定する。例えば、コンテンツの一部に画像を追加したい場合は、その追加する領域を指定する必要があるので、コンテンツ編集方法ボタン２３０の「画像挿入」を選択し、破線２００ａで示すように、コンテンツ再生表示領域２１０上に表示されたコンテンツ上で追加領域をカーソル指定するなどによって行う。追加する画像は、例えば、追加するコンテンツの格納領域（例えば、ディレクトリ名）および画像ファイル名を指定するなどして特定されてもよい。また、例えば、コンテンツの一部を要約する場合は、要約するコンテンツの時間帯を指定する必要があるので、コンテンツ編集方法ボタン２３０の「ダイジェスト」を選択したことに応じて表示された時間帯入力ボックス（図示せず）に、要約する時間帯を入力することによって行われてもよい。
【００３４】
コンテンツ編集方法とは、例えば、以下を含むがそれらに限定されない。
【００３５】
【表１】
0005982428.tif 000002
【００３６】
コンテンツ情報表示領域２４０は、再生したコンテンツに含まれるコンテンツメタデータ（例えば、コンテンツが映画の場合の出演者関連情報などを含むコンテンツの作品情報など）を読み取り、当該読み取ったメタデータに基づいて、インターネット上の検索エンジンなどを利用して取得した情報を表示する。
【００３７】
次に、図３を参照して、本発明の一実施形態に係るコンテンツ編集・再生方法を実現する制御データファイルの出力方法を説明する。制御データファイルの出力方法は、制御部１０２が補助記憶部１０４に格納された制御データファイル編集プログラム１０４ａおよびコンテンツ再生プログラム１０４ｂを主記憶部１０３に読み取ることによって実行される。また、当該方法では、正当コンテンツを、コンテンツ編集・再生装置１００で再生することを前提とする。情報記録媒体格納コンテンツを再生する場合は、コンテンツ編集・再生装置１００の情報記録媒体ドライブ１０８が、情報記録媒体格納コンテンツを読み取って再生する。
【００３８】
まず、ユーザの要求に応じて、入出力インタフェース１０１は、コンテンツ編集・再生装置１００のディスプレイ１０６に編集方法入力インタフェース画面２００を表示する（Ｓ３０１）。
【００３９】
次に、制御部１０２は、正当コンテンツを再生する（Ｓ３０２）。正当コンテンツが、情報記録媒体に記録されている情報記録媒体格納コンテンツである場合は、情報記録媒体ドライブ１０８に差し込まれた情報記録媒体から正当コンテンツを読み取って再生する。正当コンテンツがコンテンツ編集・再生装置１００に配信されるコンテンツである場合は、配信された正当コンテンツを読み取って再生する。再生した正当コンテンツに画像が含まれる場合は、編集方法入力インタフェース画面２００のコンテンツ再生表示領域２１０上に当該画像が表示される。再生した正当コンテンツに音声が含まれる場合は、スピーカ１０７を介して当該音声が出力される。
【００４０】
次に、制御部１０２は、再生したコンテンツに含まれるメタデータを読み取る（Ｓ３０３）。メタデータは、正当コンテンツがＣＤまたはＤＶＤなどのパッケージ型コンテンツである場合は、出演者情報、アーティスト情報などの情報記録媒体に含まれる作品情報などであってもよい。
【００４１】
次に、制御部１０２は、Ｓ３０３で読み取ったメタデータに基づいて、インターネット上の検索エンジンを利用するなどの手段によって、外部ネットワークからコンテンツ関連情報を取得するようにネットワークインタフェース１０５に指示する（Ｓ３０４）。
【００４２】
次に、制御部１０２は、Ｓ３０４で取得したコンテンツ関連情報を、編集方法入力インタフェース画面２００のコンテンツ情報表示領域２４０上に表示する（Ｓ３０５）。なお、音声認識装置１０９が、再生している正当コンテンツに含まれる音声を認識し、制御部１０２が認識した音声を、当該音声に対応するデータに変換して（例えば、音声に対応する文字情報）、変換したデータを、再生している正当コンテンツに合わせてコンテンツ情報表示領域２４０上に表示するようにしてもよい。また、文字認識装置１１０が、再生している正当コンテンツに含まれる文字情報を認識し、制御部１０２が認識した文字情報を、当該文字情報に対応するデータに変換して（例えば、文字情報に対応する音声データ）、変換したデータを、再生しているコンテンツに合わせてコンテンツ編集・再生装置１００から出力させてもよい（例えば、スピーカ１０７を介して音声を出力する）。さらに、上記音声に対応するデータ、および／または、文字情報に対応するデータに基づいて、インターネット上の検索エンジンを利用するなどの手段によって、外部ネットワークからコンテンツ関連情報を取得し、取得した情報をコンテンツ情報表示領域２４０上に表示するようにしてもよい。このようにして、再生しているコンテンツに関連する情報をコンテンツ情報表示領域２４０上に表示することによって、例えば、再生しているコンテンツに文字情報を追加する編集を行う場合などに、その編集を支援することができる。
【００４３】
次に、ユーザは、編集方法入力インタフェース画面２００のコンテンツ編集方法ボタン２３０を選択することによってコンテンツ編集方法を指定し、ならびに、選択したコンテンツ編集方法にしたがって、再生している正当コンテンツの特定の時間帯（例えば、コンテンツの開始Ｘ秒からＹ秒間）、および／または、特定の領域（例えば、コンテンツが表示された画像のＸ座標およびＹ座標）を指定する（Ｓ３０６）。指定したコンテンツ編集方法ならびに指定した時間帯および／または領域は、ユーザ入力として入出力インタフェース１０１が受信する。
【００４４】
最後に、制御部１０２は、Ｓ３０６で受信したユーザ入力に基づいて、制御データファイルを出力し、補助記憶部１０４に制御データファイルを格納する（Ｓ３０７）。制御データファイル４００の例を図４に示す。
【００４５】
制御データファイル４００は、正当コンテンツを編集する際に、ユーザによって指定された正当コンテンツの編集領域および／または編集時間などを特定し、当該特定した編集領域および／または編集時間において、ユーザによって指定された編集方法にしたがって、コンテンツを編集するのに使用するデータファイルである。例えば、図４に示すように、図３で指定した正当コンテンツの特定の時間において、「動画１２３」の特定の時間帯の動画を、正当コンテンツの特定の領域上で上書き表示するよう指定する情報などを含んでもよい。また、図３で再生した正当コンテンツの識別子（例えば、パッケージ型コンテンツの識別番号）を、制御データフィルを関連付けるようしてもよい（例えば、正当コンテンツの識別子を制御データファイルに含ませる、または、制御データファイルのファイル名に正当コンテンツの識別子を割り当てることによって）。このように、正当コンテンツの識別子を制御データファイルと関連付けることによって、制御データファイルを単独で第三者に提供し、当該第三者が制御データファイルにしたがって、正当コンテンツの２次的利用を図ることを可能にする（例えば、当該第三者が制御データファイルに含まれる識別番号に基づいて、正当コンテンツを特定することによって）。
【００４６】
このようにして、ユーザに対して編集方法入力インタフェース画面２００を提供し、ユーザの入力に応じて制御データファイルを出力する構成をとることによって、ユーザの希望に応じて正当コンテンツの編集を自由に行うことが可能になる。
【００４７】
次に、図５を参照して、本発明の一実施形態に係るコンテンツ編集・再生方法を説明する。コンテンツ編集・再生方法は、制御部１０２が補助記憶部１０４に格納されたコンテンツ再生プログラム１０４ｂおよびコンテンツ編集プログラム１０４ｃを主記憶部１０３に読み取ることによって実行される。
【００４８】
まず、ユーザの要求に応じて、入出力インタフェース１０１は、コンテンツ編集・再生装置１００のディスプレイ１０６にコンテンツ再生画面を表示する（Ｓ５０１）。コンテンツ再生画面は、コンテンツを再生するために再生または停止などを指定するためのインタフェース画面である。
【００４９】
次に、ユーザは、コンテンツ再生画面を介して再生するコンテンツを指定する（Ｓ５０２）。コンテンツの指定とは、コンテンツ編集・再生装置１００上で再生するコンテンツを識別するインジケーションを入力することによって行われる。例えば、コンテンツ再生画面を介して表示された正当コンテンツのファイル名（情報記録媒体ドライブ１０８によって読み取った情報記録媒体コンテンツ、ネットワーク上で配信された配信コンテンツなど）を指定してもよい。
【００５０】
次に、制御部１０２は、Ｓ５０２で指定されたユーザ入力に基づいて、指定されたコンテンツに関連付けられた、図３に示した方法で補助記憶部１０４に格納された制御データファイルを特定する（Ｓ５０３）。上述したように、制御データファイルには、再生する正当コンテンツの識別子が含まれ、または、制御データファイルのファイル名自体に当該識別子が含まれているので、当該識別子によって制御データファイルを関連付けることができる。なお、ユーザが再生するコンテンツを指定して、当該コンテンツに基づいて制御データファイルを特定する例を示したが、その逆でもよく、ユーザが制御データファイルを指定して、当該制御データファイルに基づいて再生するコンテンツを特定してもよい。この場合、特定する正当コンテンツが存在しない場合はエラー表示をするようにしてもよい。
【００５１】
次に、制御部１０２は、Ｓ５０３で特定した制御データファイルの全レコードを読み取る（Ｓ５０４）。
【００５２】
次に、制御部１０２は、正当コンテンツを再生する（Ｓ５０５）。正当コンテンツが、情報記録媒体に格納されている情報記録媒体格納コンテンツである場合は、情報記録媒体ドライブ１０８に差し込まれた情報記録媒体から正当コンテンツを読み取って再生する。正当コンテンツがコンテンツ編集・再生装置１００に配信されるコンテンツである場合は、配信された正当コンテンツを読み取って再生する。再生した正当コンテンツに画像が含まれる場合は、編集方法入力インタフェース画面２００のコンテンツ再生表示領域２１０上に表示される。再生した正当コンテンツに音声が含まれる場合は、スピーカ１０７を介して音声が出力される。
【００５３】
次に、制御部１２０は、Ｓ５０４で読み取った制御データファイルにしたがって、Ｓ５０２で再生している正当コンテンツを編集する（Ｓ５０６）。ここで、正当コンテンツの編集とは、再生している正当コンテンツに画像が含まれる場合は、上述したユーザが指定したコンテンツ編集方法にしたがって、再生している正当コンテンツに画像を上書き表示し、または、再生している一部のコンテンツを切り取る処理などを含む。再生しているコンテンツに音声が含まれている場合は、その音声を別の音声に変える、一部の音声を消去する、または、別の音声を追加する処理などを含む。
【００５４】
Ｓ５０６における編集処理は、例えば、制御データファイルに含まれる各レコード間で再生している正当コンテンツの編集時間などが重複する場合（例えば、再生している正当コンテンツの開始３０秒から５０秒の間に、座標（１００，１５０）および（２００，２００）の領域で特定の画像を挿入する編集処理を行う一方で、再生している正当コンテンツの開始３０秒から５０秒の間に、座標（０，５０）および（６０，１００）の領域の画像を切り取る編集処理を行う）、当該重複する処理を並列して行ってもよい（例えば、制御部１０２がコンテンツ編集プログラム１０４ｃを実行するプロセスまたはスレッドを複数起動して実行する）。このようにして、最初に制御データファイルの全レコードを先に読み取ってから編集処理を行うことによって、編集する正当コンテンツの領域および／または時間が重複した場合に、正当コンテンツの再生に合わせて重複した編集を行うことが可能になる。なお、上述した並列処理は、Ｓ５０１で制御データファイルの全レコードを読み取って、並列処理が必要となるかを判定して（例えば、編集する正当コンテンツの領域および／または時間において重複が発生するかを判定する）から行ってもよく、または、最初から編集処理を並列して実行してもよい（例えば、最初から制御部１０２がコンテンツ編集プログラム１０４ｃを実行するプロセスまたはスレッドを複数起動して実行する）。
【００５５】
編集している正当コンテンツの例を、図６を参照して説明する。図６は、コンテンツ編集・再生装置１００のディスプレイ１０６に表示された編集再生コンテンツ表示画面６００の例を示している。編集再生コンテンツ表示画面６００は、編集再生コンテンツ表示領域６１０を備え、当該領域に、編集再生下正当コンテンツが表示される。編集再生コンテンツ表示領域６１０上で表示された正当コンテンツ上で、６００ａおよび６００ｂに示すように、コンテンツ情報の文字列が表示されている（例えば、コンテンツ編集方法ボタン２３０の「文字情報挿入」を選択して、表示されている領域を指定することによって、コンテンツ情報を挿入する）。また、６００ｃに示すように、表示された正当コンテンツ上で、背景などの画像が表示されている（例えば、コンテンツ編集方法ボタン２３０の「貼り付け」または「画像挿入」を選択して、表示されている領域を指定することによって、画像を挿入する）。
【００５６】
ところで、編集した正当コンテンツを補助記憶部１０４に格納した場合は、当該編集したコンテンツは元の正当コンテンツを利用した２次的著作物となり、元の正当コンテンツの著作権者の許諾なしに複製等した場合に著作権法に違反することになる。このようなことを回避するために、編集した正当コンテンツを補助記憶部１０４に格納することができないように制御部１０２が制御してもよい。このように制御することによって、上述した事態を回避することにとどまらず、例えば、正当コンテンツに複製を禁止するなどの技術的保護手段が設けられていた場合にも、当該保護手段を回避してコンテンツを複製することにはならず、どのような正当コンテンツであってもコンテンツの２次的利用を私的利用の範囲で図ることが可能になる。
【００５７】
以上説明したように、本発明に係るコンテンツ編集・再生方法によれば、コンテンツ編集・再生装置１００上で再生されている正当コンテンツを編集して出力することになるので、当該コンテンツを私的利用の範囲で２次的利用をすることになり、著作権法に違反するものとはならない。また、ユーザ入力にしたがって出力された制御データファイルにしたがって、再生しているコンテンツの編集を行うので、ユーザの自由にコンテンツの２次的利用を図ることが可能になる。
【００５８】
なお、制御データファイルの出力方法、および、コンテンツ編集・再生方法は、同一のコンピュータリングデバイス上で実行されるように説明したが、このような構成に限定されず、上記２つの方法は別々のコンピューティングデバイス上で実行されてもよい。
【符号の説明】
【００５９】
２００  編集方法入力インタフェース
２１０  コンテンツ再生表示領域
２２０  コンテンツ再生ボタン
２３０  コンテンツ編集方法ボタン
２４０  コンテンツ情報表示領域
４００  制御データファイル
６００  編集再生コンテンツ表示画面
６１０  編集再生コンテンツ表示領域
【図１】
0005982428.tif 000003
【図２】
0005982428.tif 000004
【図３】
0005982428.tif 000005
【図４】
0005982428.tif 000006
【図５】
0005982428.tif 000007
【図６】
0005982428.tif 000008